【手続補正書】
【提出日】平成20年4月7日(2008.4.7)
【手続補正１】
【補正対象書類名】明細書
【補正対象項目名】特許請求の範囲
【補正方法】変更
【補正の内容】
【特許請求の範囲】
【請求項１】  複数の孔を含み構成され、第１の周期を有する第１の陽極酸化領域と、複数の孔を含み構成され、第２の周期を有する第２の陽極酸化領域とを備え、且つ該第１の陽極酸化領域と該第２の陽極酸化領域との境界に存在する前記複数の孔は、該第１及び第２の陽極酸化領域に共有されていることを特徴とする構造体。
【請求項２】  複数の細孔を含み構成される構造体であって、陽極酸化膜が有する細孔の周期配列構造が、複数種類であって、且つ前記周期配列構造が互いに隣接して配列していることを特徴とする構造体。
【請求項３】  前記複数種類の周期配列構造が、互いに隣接し且つその境界である共有部の細孔が、少なくとも２つ以上であることを特徴とする請求項２記載の構造体。
【請求項４】  前記複数種類の周期配列構造は、各々の周期配列構造の第１近接細孔間距離同士が等しいか、または一方の第１近接細孔間距離ともう一方の第２近接細孔間距離が等しか、または第２近接細孔間距離同士が等しいことを特徴とする請求項２あるいは３に記載の構造体。
【請求項５】  前記複数種類の各々の周期配列構造の最近接細孔間の距離が０．７５Ｂ〜１．５Ｂ（但し、Ｂは前記複数種類の周期配列構造に含まれる最近接細孔間距離の最大値から最小値の範囲内に含まれる数値［ｎｍ］である。）であることを特徴とする請求項４に記載の構造体。
【請求項６】  前記複数種類の周期配列構造が、長方格子、正方格子、六方格子、グラファイト状格子または平行四辺形格子であることを特徴とする請求項２乃至５のいずれかの項に記載の構造体。
【請求項７】  前記陽極酸化膜がアルミニウムを主成分とすることを特徴とする請求項２乃至６のいずれかの項に記載の構造体。
【請求項８】  前記細孔の少なくとも１つに充填物を有することを特徴とする請求項２乃至６のいずれかの項に記載の構造体。
【請求項９】  前記充填物が前記陽極酸化膜とは異なる誘電率を有する誘電体、半導体、磁性材料または発光材料であることを特徴とする請求項８に記載の構造体。
【請求項１０】  請求項２乃至９のいずれかに記載の構造体の前記細孔内に、前記陽極酸化膜と異なる誘電率を有する誘電体が充填されていることを特徴とする光学デバイス。
【請求項１１】  請求項２乃至９のいずれかに記載の構造体の前記細孔内に、発光材料が充填されていることを特徴とする発光デバイス。
【請求項１２】  請求項２乃至９のいずれかに記載の構造体の前記細孔内に、磁性材料が充填されていることを特徴とする磁性デバイス。
【請求項１３】  磁性材料が充填された複数の細孔を含み構成され、第１の周期を有する第１の陽極酸化領域からなり、前記磁性材料が充填された複数の細孔が情報記録を行なうデータ領域と、磁性材料が充填された複数の細孔を含み構成され、第２の周期を有する第２の陽極酸化領域からなり、前記磁性材料が充填された複数の細孔がトラック位置を検出するサーボ領域からなり、前記データ領域と前記サーボ領域の磁性材料が充填された複数の細孔の周期配列が異なることを特徴とする磁気記録媒体。
【請求項１４】  前記サーボ領域の少なくとも１つの細孔が、データ領域のトラック方向と垂直な細孔周期に対して、半周期ずれて位置していることを特徴とする請求項１３に記載の磁気記録媒体。
【請求項１５】  前記サーボ領域が少なくとも２種類の周期配列構造から構成されていることを特徴とする請求項１３または１４に記載の磁気記録媒体。
【請求項１６】  陽極酸化膜に形成された異なる周期を有する複数の細孔周期配列構造が、互いに隣接して配列した構造体の製造方法であって、アルミニウムを主成分とする基板表面に複数種類の周期配列からなる細孔開始点を作製する工程（１）と、前記基板を同じ陽極酸化電圧で同時に陽極酸化して異なる周期を有する複数の細孔周期配列構造を形成する工程（２）を有することを特徴とする構造体の製造方法。
【請求項１７】  前記異なる周期を有する複数の周期配列構造が、互いに隣接し且つその境界である共有部の細孔が、少なくとも２つ以上であることを特徴とする請求項１６に記載の構造体の製造方法。
【請求項１８】  前記異なる周期を有する複数の周期配列構造が、前記共有部の細孔以外に少なくとも１つ以上の細孔を有することを特徴とする請求項１６または１７に記載の構造体の製造方法。
【請求項１９】  前記複数の周期配列の構造体の陽極酸化時の印加電圧がＡ［Ｖ］（但し、Ｂ［ｎｍ］＝Ａ［Ｖ］／２．５［Ｖ／ｎｍ］、Ｂは前記複数種類の周期配列構造に含まれる最近接細孔間距離の最大値から最小値の範囲内に含まれる数値）であることを特徴とする請求項１６に記載の構造体の製造方法。
【請求項２０】  前記工程（１）が、光リソグラフィ、Ｘ線リソグラフィ、電子線リソグラフィ、イオンビームリソグラフィ、インプリントリソグラフィまたは走査型プローブ顕微鏡（ＳＰＭ）リソグラフィによって作製されることを特徴とする請求項１６に記載の構造体の製造方法。
【手続補正２】
【補正対象書類名】明細書
【補正対象項目名】００１２
【補正方法】変更
【補正の内容】
【００１２】
【課題を解決するための手段】
即ち、本発明は、複数の孔を含み構成され、第１の周期を有する第１の陽極酸化領域と、複数の孔を含み構成され、第２の周期を有する第２の陽極酸化領域とを備え、且つ該第１の陽極酸化領域と該第２の陽極酸化領域との境界に存在する前記複数の孔は、該第１及び第２の陽極酸化領域に共有されていることを特徴とする構造体である。
【手続補正３】
【補正対象書類名】明細書
【補正対象項目名】００１３
【補正方法】変更
【補正の内容】
【００１３】
また、本発明は、複数の細孔を含み構成される構造体であって、陽極酸化膜が有する細孔の周期配列構造が、複数種類であって、且つ前記周期配列構造が互いに隣接して配列していることを特徴とする構造体である。
【手続補正４】
【補正対象書類名】明細書
【補正対象項目名】００１７
【補正方法】変更
【補正の内容】
【００１７】
また、本発明は、磁性材料が充填された複数の細孔を含み構成され、第１の周期を有する第１の陽極酸化領域からなり、前記磁性材料が充填された複数の細孔が情報記録を行なうデータ領域と、磁性材料が充填された複数の細孔を含み構成され、第２の周期を有する第２の陽極酸化領域からなり、前記磁性材料が充填された複数の細孔がトラック位置を検出するサーボ領域からなり、前記データ領域と前記サーボ領域の磁性材料が充填された複数の細孔の周期配列が異なることを特徴とする磁気記録媒体である。
前記サーボ領域の少なくとも１つの細孔が、データ領域のトラック方向と垂直な細孔周期に対して、半周期ずれて位置していることが好ましい。
前記サーボ領域が少なくとも２種類の周期配列構造から構成されていることが好ましい。
【手続補正５】
【補正対象書類名】明細書
【補正対象項目名】００１８
【補正方法】変更
【補正の内容】
【００１８】
また、本発明は、陽極酸化膜に形成された異なる周期を有する複数の細孔周期配列構造が、互いに隣接して配列した構造体の製造方法であって、アルミニウムを主成分とする基板表面に複数種類の周期配列からなる細孔開始点を作製する工程（１）と、前記基板を同じ陽極酸化電圧で同時に陽極酸化して異なる周期を有する複数の細孔周期配列構造を形成する工程（２）を有することを特徴とする構造体の製造方法である。